(57)【要約】【課題】  音声情報の記録を禁止状態に設定した場合に外観が悪くなることなく、かつ、記録禁止状態であることを視覚によって確認することを可能とする。【解決手段】  ２枚の表面シート１０ａ，１０ｂに挟み込まれた導通部材５０によってＩＣチップ３４に対する音声情報の記録を可能な状態とし、また、この導通部材５０を２枚の表面シート１０ａ，１０ｂから取り外すことによってＩＣチップ３４に対する音声情報の記録を禁止状態に設定する。【選択図】図１
2006001040.tif 000002
【特許請求の範囲】
【請求項１】
音声情報の記録及び再生が可能な音声メッセージ伝達シートであって、
音声情報を入出力するための音声情報入出力手段と、
前記音声情報入出力手段を介して入力された音声情報が記録される記憶領域を具備し、前記音声情報入出力手段を介して入力された音声情報を前記記憶領域に記録し、また、前記記憶領域に記録された音声情報を前記音声情報入出力手段を介して出力するＩＣチップと、
前記ＩＣチップと電気的に接続され、前記ＩＣチップに記録された音声情報を前記音声情報入出力手段を介して出力するための第１の指示信号を前記ＩＣチップに入力する操作が行われる第１のスイッチと、
前記ＩＣチップと電気的に開放され、前記音声情報入出力手段を介して入力された音声情報を前記ＩＣチップに記録するための第２の指示信号を前記ＩＣチップに入力する操作が行われる第２のスイッチと、
前記音声情報入出力手段、前記ＩＣチップ、並びに前記第１及び第２のスイッチを挟み込む２枚の表面シートと、
前記２枚の表面シート間に取り外し可能に挟み込まれ、前記ＩＣチップと前記第２のスイッチとを電気的に接続する導通部材とを有する音声メッセージ伝達シート。
【請求項２】
請求項１に記載の音声メッセージ伝達シートにおいて、
前記導通部材は、前記２枚の表面シート間にて取り外し可能に固定されていることを特徴とする音声メッセージ伝達シート。
【請求項３】
請求項２に記載の音声メッセージ伝達シートにおいて、
前記音声情報入出力手段、前記ＩＣチップ、前記第１及び第２のスイッチ、並びに前記導通部材を挟み込んで前記２枚の表面シートに挟み込まれた２枚の支持シートを有し、
前記導通部材は、一方の面が前記支持シートに取り外し可能に接着されていることを特徴とする音声メッセージ伝達シート。
【発明の詳細な説明】
【技術分野】
【０００１】
本発明は、音声情報の記録及び再生が可能な音声メッセージ伝達シートに関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、音声情報の記録及び再生が可能に構成された音声カードが考えられている（例えば、特許文献１，２参照。）。
【０００６】
このような音声カードにおいては、音声情報を入力するための音声入力手段と、音声入力手段を介して入力された音声情報が記録される記録手段と、記録手段に記録された音声情報を出力するための音声出力手段と、音声情報を音声入力手段を介して入力する際に押下される録音ボタンと、音声情報を音声出力手段を介して出力する際に押下される再生ボタンと、これらの動作を制御するための制御手段とが設けられており、録音ボタンを押下して音声情報を記録し、再生ボタンを押下することにより音声情報が再生されることになる。
【０００７】
ここで、このように音声情報を記録可能に構成された音声カードに対する音声情報の記録は、音声入力手段を介して入力された音声情報を、記録手段に記録された音声情報に上書きするように行われる。そのため、記録手段に音声情報が記録された後に録音ボタンが誤って押下された場合、既に記録手段に記録されている音声情報が消去されることになる。そこで、上述した特許文献１には、録音ボタンを容易に切り離すことができるような構成としておき、音声情報の録音後に録音ボタンを切り離すことにより、録音ボタンの誤操作によって音声情報が消去されてしまうことを回避する技術が記載されている。また、上述した特許文献２に記載された音声カードおいては、音声情報の記録後に再生ボタンと録音ボタンを同時に押下すると、その後の音声情報の記録を禁止するような制御が行われ、それにより、録音ボタンの誤操作によって音声情報が消去されてしまうことを回避することができる構成となっている。
【特許文献１】特公平３−４５４３３号公報
【特許文献２】特許第２８８９１５１号明細書
【発明の開示】
【発明が解決しようとする課題】
【０００８】
しかしながら、上述したように、録音ボタンを容易に切り離し可能に構成しておき、音声情報の録音後に録音ボタンを切り離すことにより、録音ボタンの誤操作によって音声情報が消去されてしまうことを回避するものにおいては、音声情報が記録された音声カードを送付する場合、音声カードが、その一部が切り離された状態で送付先に送付されることになるため、送付される音声カードの外観が悪くなってしまうという問題点がある。
【０００９】
また、音声情報の記録後に再生ボタンと録音ボタンを同時に押下することにより、その後の音声情報の記録が禁止されるものにおいては、音声情報の記録が禁止状態に設定されているかどうかを視覚によって確認することができないという問題点がある。そのため、音声情報の記録後にまだ記録禁止状態に設定していないにも関わらず、記録禁止状態に設定したと思い込み、記録禁止状態に設定しない状態で例えば音声カードを送付してしまう場合が生じ、その場合、その後に録音ボタンが誤って押下されてしまい、記録されている音声情報が消去されてしまう虞れがある。また、音声情報の記録を禁止するために、音声情報を記録するための録音ボタンを押下することになるため、再生ボタンよりも録音ボタンを早く押下してしまった場合、記録されている音声情報の一部が消去されてしまう虞れがある。
【００１０】
本発明は、上述したような従来の技術が有する問題点に鑑みてなされたものであって、音声情報の記録を禁止状態に設定した場合に外観が悪くなることなく、かつ、記録禁止状態であることを視覚によって確認することができる音声メッセージ伝達シートを提供することを目的とする。
【課題を解決するための手段】
【００１１】
上記目的を達成するために本発明は、
音声情報の記録及び再生が可能な音声メッセージ伝達シートであって、
音声情報を入出力するための音声情報入出力手段と、
前記音声情報入出力手段を介して入力された音声情報が記録される記憶領域を具備し、前記音声情報入出力手段を介して入力された音声情報を前記記憶領域に記録し、また、前記記憶領域に記録された音声情報を前記音声情報入出力手段を介して出力するＩＣチップと、
前記ＩＣチップと電気的に接続され、前記ＩＣチップに記録された音声情報を前記音声情報入出力手段を介して出力するための第１の指示信号を前記ＩＣチップに入力する操作が行われる第１のスイッチと、
前記ＩＣチップと電気的に開放され、前記音声情報入出力手段を介して入力された音声情報を前記ＩＣチップに記録するための第２の指示信号を前記ＩＣチップに入力する操作が行われる第２のスイッチと、
前記音声情報入出力手段、前記ＩＣチップ、並びに前記第１及び第２のスイッチを挟み込む２枚の表面シートと、
前記２枚の表面シート間に取り外し可能に挟み込まれ、前記ＩＣチップと前記第２のスイッチとを電気的に接続する導通部材とを有する。
【００１２】
また、前記導通部材は、前記２枚の表面シート間にて取り外し可能に固定されていることを特徴とする。
【００１３】
また、前記音声情報入出力手段、前記ＩＣチップ、前記第１及び第２のスイッチ、並びに前記導通部材を挟み込んで前記２枚の表面シートに挟み込まれた２枚の支持シートを有し、
前記導通部材は、一方の面が前記支持シートに取り外し可能に接着されていることを特徴とする。
【００１４】
上記のように構成された本発明においては、導通部材が２枚の表面シートに挟み込まれた状態では、記憶領域を具備するＩＣチップと第２のスイッチとが導通部材を介して電気的に接続されており、この状態において第２のスイッチを操作すると、音声情報をＩＣチップに記録するための第２の指示信号がＩＣチップに入力され、音声情報入出力手段を介して入力された音声情報がＩＣチップに記録される。その後、導通部材を２枚の表面シートから取り外すと、ＩＣチップと第２のスイッチとが電気的に開放された状態となり、この状態にて第２のスイッチが操作されても、音声情報をＩＣチップに記録するための第２の指示信号はＩＣチップに入力されず、それにより、音声情報入力手段を介して音声情報が入力された場合であっても、その音声情報がＩＣチップに記録されることがない。そのため、ＩＣチップに音声情報を記録した後に導通部材を２枚の表面シートから取り外しておけば、その後、第２のスイッチが操作された場合であってもＩＣチップに記録された音声情報が消去されることがなくなる。
【００１５】
このように、２枚の表面シートに挟み込まれた導通部材によってＩＣチップに対する音声情報の記録を可能な状態とし、また、この導通部材を２枚の表面シートから取り外すことによってＩＣチップに対する音声情報の記録を禁止状態に設定するので、ＩＣチップに対する音声情報の記録を禁止状態に設定した場合であっても、音声メッセージ伝達シートの外観となる表面シートはそのままとなり、外観が悪くなることがなくなる。また、ＩＣチップに対する音声情報の記録が禁止状態であるかどうかを導通部材の有無によって判断することができるため、記録禁止状態であることを視覚によって確認することができる。
【発明の効果】
【００１６】
以上説明したように本発明においては、２枚の表面シートに挟み込まれた導通部材によってＩＣチップに対する音声情報の記録を可能な状態とし、また、この導通部材を２枚の表面シートから取り外すことによってＩＣチップに対する音声情報の記録を禁止状態に設定する構成としたため、ＩＣチップに対する音声情報の記録を禁止状態に設定した場合であっても、音声メッセージ伝達シートの外観となる表面シートはそのままとなり、外観が悪くなることがなくなり、また、ＩＣチップに対する音声情報の記録が禁止状態であるかどうかを導通部材の有無によって判断することができ、記録禁止状態であることを視覚によって確認することができる。
【００１７】
また、導通部材が、２枚の表面シート間に取り外し可能に固定されているものにおいては、導通部材が２枚の表面シート間に挟み込まれている状態では導通部材が固定されていることになり、それにより、導通部材が２枚の表面シート間でずれてしまい、導通部材が２枚の表面シート間に挟み込まれているにも関わらず、ＩＣチップと第２のスイッチとが電気的に開放され、第２のスイッチを操作しても音声情報が記録できなくなってしまうことを回避することができる。
【発明を実施するための最良の形態】
【００１８】
以下に、本発明の実施の形態について図面を参照して説明する。
【００１９】
図１は、本発明の音声メッセージ伝達シートの実施の一形態を示す図であり、（ａ）は表面から見た図、（ｂ）は内部構造を示す図、（ｃ）は（ａ）に示したＡ−Ａ’断面図、（ｄ）は（ａ）に示したＢ−Ｂ’断面図である。また、図２は、図１に示した音声メッセージ伝達シート１の積層状態を示す図である。
【００２０】
本形態は図１及び図２に示すように、音声情報の記録及び再生が可能なシート状の音声情報記録／再生部３０が、紙基材等の柔軟性を有し、かつ薄型の基材からなる２枚の支持シート２０ａ，２０ｂに挟まれ、また、音声情報記録／再生部３０が挟まれた支持シート２０ａ，２０ｂが、その外形が支持シート２０ａ，２０ｂと同一形状であって、紙基材等の柔軟性を有し、かつ薄型の基材からなる２枚の表面シート１０ａ，１０ｂに挟まれ、さらに、音声情報記録／再生部３０の一部と支持シート２０ａとの間にシート状の導通部材５０が取り外し可能に挟みこまれて構成されている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。また、その粘着加工によって、導通部材５０はその一方の面が支持シート２０ａと接着されている。この粘着加工は、支持シート２０ａ，２０ｂの表裏に両面テープを貼付することや、ホットメルト型接着剤を塗布すること等によって行うことが考えられる。
【００２１】
また、音声情報記録／再生部３０は、ピエゾ素子（不図示）や振動板（不図示）からシート状に構成されて音声情報を入出力するための音声情報入出力部４０と、音声情報入出力部４０を介して入力された音声情報が記録される記憶領域であるメモリ領域を具備する薄型のＩＣチップ３４やコンデンサ、抵抗等の回路素子、並びに第１のスイッチ３３ａ及び第２のスイッチ３３ｂが搭載された音声基板３２と、音声基板３２に接続され、音声基板３２に電源を供給するための柔軟性を有してなるペーパー電池３１とから構成されており、さらに、音声基板３２には、外部からＩＣチップ３４に音声情報を入力したり、ＩＣチップ３４に記録された音声情報を外部に出力したりするための接続端子３５が設けられている。これにより、音声情報記録／再生部３０は、シート状に構成されている。ここで、音声基板３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ３４が接合されている。また、ＩＣチップ３４は、音声情報入出力部４０を介して入力された音声情報をメモリ領域に記録し、また、メモリ領域に記録された音声情報を音声情報入出力部４０を介して出力する制御を行う。また、第１のスイッチ３３ａは、ＩＣチップ３４のメモリ領域に記録された音声情報を音声情報入出力部４０を介して出力する際に操作されるものであり、また、第２のスイッチ３３ｂは、音声情報入出力部４０を介して入力された音声情報をＩＣチップ３４のメモリ領域に記録する際に操作されるものである。
【００２２】
また、支持シート２０ａにおいては、音声情報記録／再生部３０と積層された場合に、ペーパー電池３１、スイッチ３３ａ，３３ｂ、ＩＣチップ３４及び音声情報入出力部４０と対向する領域に穴２１ａ，２２，２３，２４ａがそれぞれ形成されており、また、支持シート２０ｂにおいては、音声情報記録／再生部３０と積層された場合に、ペーパー電池３１及び音声情報入出力部４０と対向する領域に穴２１ｂ，２４ｂがそれぞれ形成されている。
【００２３】
このように、支持シート２０ａの、ペーパー電池３１、スイッチ３３ａ，３３ｂ、ＩＣチップ３４及び音声情報入出力部４０と対向する領域に穴２１ａ，２２，２３，２４ａがそれぞれ形成され、また、支持シート２０ｂの、ペーパー電池３１及び音声情報入出力部４０と対向する領域に穴２１ｂ，２４ｂがそれぞれ形成されることにより、ペーパー電池３１、スイッチ３３ａ，３３ｂ、ＩＣチップ３４及び音声情報入出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。
【００２４】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２５】
図３（ａ）に示すように、支持シート２０ａのペーパー電池３１と対向する領域に形成された穴２１ａはペーパー電池３１よりも小さく、また、スイッチ３３ａ，３３ｂと対向する領域に形成された穴２２はスイッチ３３ａ，３３ｂを含むように、また、ＩＣチップ３４と対向する領域に形成された穴２３はＩＣチップ３４よりも大きく、また、音声情報入出力部４０と対向する領域に形成された穴２４ａは音声情報入出力部４０よりも大きくなっている。
【００２６】
また、図３（ｂ）に示すように、支持シート２０ｂのペーパー電池３１と対向する領域に形成された穴２１ｂはペーパー電池３１よりも小さく、また、音声情報入出力部４０と対向する領域に形成された穴２４ｂは音声情報入出力部４０よりも小さくなっている。
【００２７】
これにより、音声情報記録／再生部３０は、２枚の支持シート２０ａ，２０ｂによって一部のみが表裏から挟み込まれるように積層され、支持シート２０ａ，２０ｂの表裏に施された粘着加工によって固定されている。
【００２８】
また、２枚の表面シート１０ａ，１０ｂのうち、支持シート２０ａの穴２２，２３を介してスイッチ３３ａ，３３ｂ及びＩＣチップ３４と対向する側の表面シート１０ａにおいては、この音声メッセージ伝達シート１を郵送する場合に宛先情報等が印刷される情報表示領域２が設けられているとともに、支持シート２０ａの穴２２を介してスイッチ３３ａと対向する領域にはスイッチ３３ａを操作するための再生ボタン３ａを示す印刷が施され、また、支持シート２０ａの穴２２を介してスイッチ３３ｂと対向する領域にはスイッチ３３ｂを操作するための録音ボタン３ｂを示す印刷が施され、また、支持シート２０ａの穴２４ａを介して音声情報入出力部４０と対向する領域には、音声情報入出力部４０から出力された音声を外部に出力するための微細な穴が羅列されてなる音声出力領域４が形成されている。このように微細な穴が羅列されてなる音声出力領域４が形成されているため、音声情報入出力部４０が表裏を表面シート１０ａ，１０ｂで覆われた状態であっても、音声情報入出力部４０から出力される音量の低下を補うことができる。なお、音声出力領域４においては、例えば、レーザ加工によって、０．１ｍｍ径の穴が縦横１．５ｍｍ間隔で形成されている。そのため、抜き加工や針等によって穴を形成する場合と比べてバリが発生せず、その後そのバリによって穴が塞がれてしまうことはない。また、図１においては、情報表示領域２が音声出力領域４上に設けられていないが、実際は、表面シート１０ａの全面に再生ボタン３ａ及び録音ボタン３ｂを含めて情報が印刷されることになるため、情報表示領域２が音声出力領域４上に設けられることも考えられる。また、再生ボタン３ａ及び録音ボタン３ｂにおいては、印刷によって表面シート１０ａ上に設けておかず、表面シート１０ａに情報が印刷された後に、スイッチ３３ａ，３３ｂに対向する領域にそれぞれシールを貼付することによって設けることも考えられる。
【００２９】
以下に、上述した音声メッセージ伝達シート１における音声情報の記録／再生操作時の動作について説明する。
【００３０】
図４は、図１に示した音声メッセージ伝達シート１における音声情報の記録／再生操作時の動作を説明するための図であり、（ａ）は音声基板３２上の詳細な構成を示す図、（ｂ）は（ａ）に示したスイッチ３３ａが操作されていない状態におけるＡ−Ａ’断面図、（ｃ）は（ａ）に示したスイッチ３３ａが操作された状態におけるＡ−Ａ’断面図、（ｄ）は導通部材５０の裏面の構成を示す図、（ｅ）は（ａ）に示したＢ−Ｂ’断面図である。
【００３１】
図４（ａ）に示すように本形態においては、ペーパー電池３１の正極に接続された配線パターン３７ａがスイッチ３３ａ，３３ｂの下部まで延びるように音声基板３２上に形成されており、また、ＩＣチップ３４のポート端子のうち、ＩＣチップ３４のメモリ領域に記録された音声情報を出力するための第１の指示信号が入力されるポート端子に接続された配線パターン３７ｂが配線パターン３７ａと接触しないようにスイッチ３３ａの下部まで延びるように音声基板３２上に形成されている。また、ＩＣチップ３４のポート端子のうち、音声情報入出力部４０を介して入力された音声情報をＩＣチップ３４のメモリ領域に記録するための第２の指示信号が入力されるポート端子に接続された配線パターン３７ｃが、音声基板３２と支持シート２０ａに挟み込まれた導通部材５０の下部まで延びるように音声基板３２上に形成されており、また、配線パターン３７ａ，３７ｃと接触しないようにスイッチ３３ｂの下部から導通部材５０の下部まで延びるような配線パターン３７ｄが音声基板３２上に形成されている。なお、ＩＣチップ３４においては、配線パターン３７ｂに接続されたポート端子が第１の指示信号の電位となる電源電位になった場合、ＩＣチップ３４のメモリ領域に記録された音声情報を出力し、また、配線パターン３７ｃに接続されたポート端子が第２の指示信号の電位となる電源電位になった場合、配線パターン３７ｃに接続されたポート端子が電源電位になっている間だけ、音声情報入出力部４０を介して入力された音声情報をＩＣチップ３４のメモリ領域に記録する。
【００３２】
上記のように構成された音声メッセージ伝達シート１においては、再生ボタン３ａを介してスイッチ３３ａが押下されていない場合は、図４（ｂ）に示すように、音声基板３２に形成された配線パターン３７ａと配線パターン３７ｂとが電気的に接続されていない状態となっている。そのため、ＩＣチップ３４のポート端子のうち、配線パターン３７ｂと接続されたポート端子、すなわち、ＩＣチップ３４のメモリ領域に記録された音声情報を出力するための第１の指示信号が入力されるポート端子はオープン状態となっており、ＩＣチップ３４のメモリ領域に記録された音声情報は出力されない。
【００３３】
一方、再生ボタン３ａを介してスイッチ３３ａが押下されると、図４（ｃ）に示すように、音声基板３２に形成された配線パターン３７ａと配線パターン３７ｂとが、スイッチ３３ａの裏面に塗布された導電剤３６を介して電気的に接続された状態となる。すると、配線パターン３７ａがペーパー電池３１の正極に接続されているため、配線パターン３７ｂと接続されたポート端子、すなわち、ＩＣチップ３４のメモリ領域に記録された音声情報を出力するための第１の指示信号が入力されるポート端子が電源電位となって第１の指示信号がＩＣチップ３４に入力されたことになり、それにより、ＩＣチップ３４のメモリ領域に記録された音声情報が音声情報入出力部４０を介して出力される。このように、再生ボタン３ａを介してスイッチ３３ａを押下することにより、ＩＣチップ３４に記録された音声情報が音声情報入出力部４０を介して出力されることになる。
【００３４】
また、録音ボタン３ｂを介してのスイッチ３３ｂの操作時についても、再生ボタン３ａを介してのスイッチ３３ａの操作時と同様に、録音ボタン３ｂを介してスイッチ３３ｂが押下されていない場合は、音声基板３２に形成された配線パターン３７ａと配線パターン３７ｄとが電気的に接続されていない状態となっており、また、録音ボタン３ｂを介してスイッチ３３ｂが押下されると、配線パターン３７ａと配線パターン３７ｄとが、スイッチ３３ｂの裏面に塗布された導電剤（不図示）を介して電気的に接続された状態となる。
【００３５】
ここで、本形態においては、配線パターン３７ｄが、ＩＣチップ３４の第２の指示信号が入力されるポート端子に直接接続されておらず、音声情報入出力部４０を介して入力された音声情報のＩＣチップ３４への記録が、導通部材５０によっても制御されている。
【００３６】
音声基板３２と支持シート２０ａとの間に挟み込まれる導通部材５０は図４（ｄ）に示すように、フィルムシート５１の裏面の一部に導電剤が塗布されることにより導電領域５２が形成されて構成されており、導電領域５２が形成された面が音声基板３２と対向するように音声基板３２と支持シート２０ａとの間に挟み込まれている。
【００３７】
導通部材５０が音声基板３２と支持シート２０ａとの間に挟み込まれている場合は、図４（ｅ）に示すように、音声基板３２に形成された配線パターン３７ｃと配線パターン３７ｄとが、導通部材５０の裏面に設けられた導電領域５２を介して電気的に接続された状態となる。この状態において、録音ボタン３ｂを介してスイッチ３３ｂが押下されると、音声基板３２に形成された配線パターン３７ａと配線パターン３７ｃとが、スイッチ３３ｂの裏面に塗布された導電剤、配線パターン３７ｄ及び導通部材５０の裏面に設けられた導電領域５２を介して電気的に接続された状態となる。すると、配線パターン３７ａがペーパー電池３１の正極に接続されているため、配線パターン３７ｃと接続されたポート端子、すなわち、音声情報入出力部４０を介して入力された音声情報をＩＣチップ３４のメモリ領域に記録するための第２の指示信号が入力されるポート端子が電源電位となって第２の指示信号がＩＣチップ３４に入力されたことになり、その状態において、音声情報入出力部４０を介して音声情報を入力すると、入力された音声情報がＩＣチップ３４のメモリ領域に記録される。このように、音声基板３２と支持シート２０ａとの間に導通部材５０を挟み込んだ状態で、録音ボタン３ｂを介してスイッチ３３ｂを押下しながら音声情報を音声情報入出力部４０を介して入力することにより、音声情報入出力部４０を介して入力された音声情報がＩＣチップ３４に記録されることになる。なお、導通部材５０が音声基板３２と支持シート２０ａとの間に挟み込まれている状態においては、導通部材５０はその一方の面が支持シート２０ａに施された粘着加工によって支持シート２０ａと接着されて固定されているため、導通部材５０がずれてしまうことがない。
【００３８】
一方、導通部材５０が音声基板３２と支持シート２０ａとの間から取り外された状態においては、配線パターン３７ｃと配線パターン３７ｄとが電気的に開放された状態となっているため、その状態で録音ボタン３ｂを介してスイッチ３３ｂを押下して配線パターン３７ａと配線パターン３７ｄとを電気的に接続しても、ＩＣチップ３４の第２の指示信号が入力されるポート端子が電源電位とならず、そのため、音声情報入出力部４０を介して音声情報を入力しても、入力された音声情報がＩＣチップ３４のメモリ領域に記録されることはない。
【００３９】
このように本形態においては、導通部材５０を支持シート２０ａと音声基板３２との間に取り外し可能に挟み込んでおき、その状態で録音ボタン３ｂを介してスイッチ３３ｂが押下された場合にのみ、音声情報入出力部４０を介して入力された音声情報をＩＣチップ３４のメモリ領域に記録するための第２の指示信号を導通部材５０を介してＩＣチップ３４に入力する構成としたため、ＩＣチップ３４のメモリ領域に音声情報を記録した後にこの導通部材５０を取り外しておけば、その後、録音ボタン３ｂを介してスイッチ３３ｂが押下されながら音声情報入出力部４０を介して音声情報が入力された場合であっても、入力された音声情報がＩＣチップ３４のメモリ領域に記録されることがなくなり、それにより、録音ボタン３ｂを介してのスイッチ３３ｂの誤操作によって、既に記録されている音声情報が消去されてしまうことを回避することができる。
【００４０】
なお、本形態においては、音声情報記録／再生部３０及び導通部材５０が２枚の支持シート２０ａ，２０ｂに挟み込まれ、さらにこの支持シート２０ａ，２０ｂが２枚の表面シート１０ａ，１０ｂに挟み込まれる構成としたが、支持シート２０ａ，２０ｂを設けずに、音声情報記録／再生部３０及び導通部材５０が２枚の表面シート１０ａ，１０ｂのみに挟み込まれる構成とすることも考えられる。
【図面の簡単な説明】
【００４１】
【図１】本発明の音声メッセージ伝達シートの実施の一形態を示す図であり、（ａ）は表面から見た図、（ｂ）は内部構造を示す図、（ｃ）は（ａ）に示したＡ−Ａ’断面図、（ｄ）は（ａ）に示したＢ−Ｂ’断面図である。
【図２】図１に示した音声メッセージ伝達シートの積層状態を示す図である。
【図３】図１及び図２に示した支持シートと音声情報記録／再生部とを積層した状態を示す図である。
【図４】図１に示した音声メッセージ伝達シートにおける音声情報の記録／再生操作時の動作を説明するための図であり、（ａ）は音声基板上の詳細な構成を示す図、（ｂ）は（ａ）に示したスイッチが操作されていない状態におけるＡ−Ａ’断面図、（ｃ）は（ａ）に示したスイッチが操作された状態におけるＡ−Ａ’断面図、（ｄ）は導通部材の裏面の構成を示す図、（ｅ）は（ａ）に示したＢ−Ｂ’断面図である。
【符号の説明】
【００４２】
１    音声メッセージ伝達シート
２    情報表示領域
３ａ    再生ボタン
３ｂ    録音ボタン
４    音声出力領域
１０ａ，１０ｂ    表面シート
２０ａ，２０ｂ    支持シート
２１ａ，２１ｂ，２２，２３，２４ａ，２４ｂ    穴
３０    音声情報記録／再生部
３１    ペーパー電池
３２    音声基板
３３ａ，３３ｂ    スイッチ
３４    ＩＣチップ
３５    接続端子
３６    導電剤
３７ａ〜３７ｄ    配線パターン
４０    音声情報入出力部
５０    導通部材
５１    フィルムシート
５２    導電領域
【図１】
2006001040.tif 000003
【図２】
2006001040.tif 000004
【図３】
2006001040.tif 000005
【図４】
2006001040.tif 000006